(57)【要約】【課題】  本発明は、前記のような点に鑑みて案出されたものであり、ブラシ組立体が底面に衝撃される場合も、上部および下部ハウジングが分離されないように構造が改善された真空掃除機のブラシ組立体を提供する。【解決手段】  ロッキングユニットに解除防止手段が備えられているため、ブラシ組立体が底面に衝撃されても上部および下部ハウジングが分離されることが防止され、ユーザ満足度を高めることができる。上部および下部ハウジングと；上部および下部ハウジングのうちいずれか１つに固定され、上部および下部ハウジング内部の空気を吸入力発生部側に連結する延長管コネクターと；延長管コネクターに回転自在に設けられ、回転により上部および下部ハウジングを密閉および開放するロッキングユニットと；延長管コネクターとロッキングユニットとの間に形成されて、ロッキングユニットの解除を防止する解除防止手段とを含む。【選択図】      図２
2005169066.tif 000002
【特許請求の範囲】
【請求項１】
上部および下部ハウジングと；
前記上部および下部ハウジングのうちいずれか１つに固定され、前記上部および下部ハウジング内部の空気を吸入力発生部側に連結する延長管コネクターと；
前記延長管コネクターに回転自在に設けられ、回転により前記上部および下部ハウジングを密閉および開放するロッキングユニットとを含むことを特徴とする真空掃除機のブラシ組立体。
【請求項２】
前記延長管コネクターとロッキングユニットとの間に形成され、前記ロッキングユニットの解除を防止する解除防止手段とを含むことを特徴とする請求項１に記載の真空掃除機のブラシ組立体。
【請求項３】
前記延長管コネクターは、前記上部ハウジングに固定されることを特徴とする請求項１に記載の真空掃除機のブラシ組立体。
【請求項４】
前記ロッキングユニットは、
前記延長管コネクターの外周面に嵌合される環状の回転ノブボディ体と；
前記回転ノブボディ体の一端に形成された作動突起と；
前記回転ノブボディ体の外周面に突設されたロッキングガイドリブとを含み、
前記ロッキングガイドリブが前記回転ノブボディ体の回転によって前記下部ハウジングに選択的に結合されることを特徴とする請求項３に記載の真空掃除機のブラシ組立体。
【請求項５】
前記ロッキングガイドリブは一側に開口部を含み、前記下部ハウジングの対面する部分が前記開口部に進入して前記ロッキングガイドリブの内周面にフッキングされることを特徴とする請求項４に記載の真空掃除機のブラシ組立体。
【請求項６】
前記解除防止手段は、
前記延長管コネクターの外周面に突設される解除防止突起と；
前記解除防止突起と対面するように前記回転ノブボディ体の内周面に少なくとも１つ以上形成された解除防止溝とを含むことを特徴とする請求項２に記載の真空掃除機のブラシ組立体。
【請求項７】
前記解除防止溝は、
前記回転ノブボディ体が前記上部および下部ハウジングをロッキングして結合させる第１位置において前記解除防止突起を収容する第１解除防止溝と；
前記回転ノブボディ体が、前記上部および下部ハウジングをリリースして結合を解除させる第２位置において前記解除防止突起を収容する第２解除防止溝とを含むことを特徴とする請求項６に記載の真空掃除機のブラシ組立体。
【請求項８】
前記解除防止突起は、前記解除防止溝と対応する形状で形成され、末端がラウンド処理されたことを特徴とする請求項６または７のいずれか一項に記載の真空掃除機のブラシ組立体。
【請求項９】
上部および下部ハウジングと；
前記上部および下部ハウジングのうちいずれか１つに固定され、前記上部および下部ハウジング内部の空気を吸入力発生部側に連結する延長管コネクターと；
前記上部および下部ハウジング間に回動自在に設けられるタービン組立体と；
前記タービン組立体に連動されて底面のダストを飛散させる回転ブラシと；
前記延長管コネクターに回転自在に設けられ、回転により前記上部および下部ハウジングを着脱自在に結合するロッキングユニットと；
前記延長間コネクターとロッキングユニットとの間に形成され、前記ロッキングユニットの解除を防止する解除防止手段とを含むことを特徴とする真空掃除機のブラシ組立体。
【請求項１０】
前記延長管コネクターは、前記上部ハウジングに固定されることを特徴とする請求項９に記載の真空掃除機のブラシ組立体。
【請求項１１】
前記ロッキングユニットは、
前記延長管コネクターの外周面に嵌合される環状の回転ノブボディ体と；
前記回転ノブボディ体の一端に形成された作動突起と；
前記回転ノブボディ体の外周面に突設されたロッキングガイドリブとを含み、
前記ロッキングガイドリブが前記回転ノブボディ体の回転によって前記下部ハウジングに選択的に結合されることを特徴とする請求項１０に記載の真空掃除機のブラシ組立体。
【請求項１２】
前記ロッキングガイドリブは一側に開口部を含み、前記下部ハウジングの対面する部分が前記開口部に進入して前記ロッキングガイドリブの内周面にフッキングされることを特徴とする請求項１１に記載の真空掃除機のブラシ組立体。
【請求項１３】
前記解除防止手段は、
前記延長管コネクターの外周面に突設される解除防止突起と；
前記解除防止突起と対面するように前記回転ノブボディ体の内周面に少なくとも１つ以上形成された解除防止溝とを含むことを特徴とする請求項９に記載の真空掃除機のブラシ組立体。
【請求項１４】
前記解除防止溝は、
前記回転ノブボディ体が前記上部および下部ハウジングをロッキングして結合させる第１位置において前記解除防止突起を収容する第１解除防止溝と；
前記回転ノブボディ体が、前記上部および下部ハウジングをリリースして結合を解除させる第２位置において前記解除防止突起を収容する第２解除防止溝とを含むことを特徴とする請求項１３に記載の真空掃除機のブラシ組立体。
【請求項１５】
前記解除防止突起は、前記解除防止溝と対応する形状に形成され、末端がラウンド処理されたことを特徴とする請求項１３または１４のいずれか一項に記載の真空掃除機のブラシ組立体。
【発明の詳細な説明】
【技術分野】
【０００１】
本発明は真空掃除機に関し、より詳しくは、使用中に底面に衝撃される場合も上部および下部ハウジングが分離されないようにロッキングユニットに解除防止手段が備えられた真空掃除機のブラシ組立体に関する。
【背景技術】
【０００２】
一般的に、真空掃除機は、多様な掃除面をより便利に掃除するために多種のアクセサリブラシを用いることができる。このようなアクセサリブラシのうち、寝具類をより便利に掃除するための布団ブラシの一例がＵＳ２００３／０１０６１８３Ａ１に図示されている。
【０００３】
前記公報には、下部ハウジングおよび前記下部ハウジングに着脱自在に結合される上部ハウジングを含み、前記上部ハウジングが常に下部ハウジングに結合された密閉状態と前記上部ハウジングが前記下部ハウジングと分離されたオープン状態に変化することができるハウジングが開示されている。前記ハウジングは、掛け金装置により密閉状態で固定されるものの、前記掛け金装置は、前記上部および下部ハウジングのうちいずれか１つの後方に位置しており、掛り表面が形成されている第１掛け金タブおよび前記上部および下部ハウジングのうち他の後方に形成されており、掛り表面が形成されている第２掛け金タブを含み、前記上部および下部ハウジングが密閉位置に変換する時、前記第１掛け金タブの掛り表面が前記第２掛け金タブの掛り表面と嵌め込むように形成される。この時、前記第１および第２掛け金タブは、前記上部および下部ハウジングがオープン状態に変化する時、前記第１掛け金タブが前記第２掛け金タブから掛りが解除されるようにする押さえ金が備えられている。
【０００４】
ところが、このような構造を有する布団ブラシの場合、前記第１および第２掛け金タブの結合が前記押さえ金によりロッキングおよびリリースされるため、ユーザの過失等により布団ブラシが底面に落ちる場合、この衝撃により前記第１および第２掛け金タブの結合が解除しながら、前記上部および下部ハウジングの密閉位置から遺脱しながら、互いに分離されることがあるとの問題点がある。
【発明の開示】
【発明が解決しようとする課題】
【０００５】
本発明は、前記のような点に鑑みて案出されたものであり、ブラシ組立体が底面に衝撃される場合も、上部および下部ハウジングが分離されないように構造が改善された真空掃除機のブラシ組立体を提供するのにその目的がある。
【課題を解決するための手段】
【０００６】
前記のような目的を達成するための本発明による真空掃除機の吸入ブラシ組立体は、上記および下部ハウジングと、延長管コネクターと、ロッキングユニットおよび解除防止手段を含む。
【０００７】
前記上部および下部ハウジングは、本発明による吸入ブラシのボディ体を形成し、前記延長管コネクターがその間に設けられ、真空掃除機本体で前記吸入ブラシを連結する。前記上部および下部ハウジングは、前記ロッキングユニットにより分離可能に設けられ、前記ロッキングユニットは、前記解除防止手段により一定位置に固定されて外部衝撃により前記ロッキングユニットが作動しないように構成される。
【０００８】
本発明の好ましい実施形態によると、前記延長管コネクターは、前記上部ハウジングに固定されることがよい。
【０００９】
そして、前記ロッキングユニットは、前記延長管コネクターの外周面に嵌合される環状の回転ノブボディ体と；前記回転ノブボディ体の一端に形成された作動突起と；前記回転ノブボディ体の外周面に突設されたロッキングガイドリブとを含み、前記ロッキングガイドリブが前記回転ノブボディ体の回転に従って前記下部ハウジングに選択的に結合されることが好ましい。
【００１０】
また、前記ロッキングガイドリブは一側に開口部を含み、前記下部ハウジングの対面する部分が前記開口部に進入して前記ロッキングガイドリブの内周面にフッキングされる。
【００１１】
そして、前記解除防止手段は、前記延長管コネクターの外周面に突設される解除防止突起と；前記解除防止突起と対面するように前記回転ノブボディ体の内周面に少なくとも１つ以上形成された解除防止溝とを含む。
【００１２】
このとき、前記解除防止溝は、前記回転ノブボディ体が、前記上部および下部ハウジングをロッキングして結合させる第１位置において前記解除防止突起を収容する第１解除防止溝と；前記回転ノブボディ体が、前記上部および下部ハウジングをリリースして結合を解除させる第２位置において前記解除防止突起を収容する第２解除防止溝とを含む。
【００１３】
そして、前記解除防止突起は、前記解除防止溝と対応する形状に形成され、末端がラウンド処理されることがよい。
【００１４】
一方、前記のように構成された真空掃除機のブラシ組立体は、その内部に吸引力により回転するタービン組立対と連動して底面のダストを飛散させる回転ブラシを備えたタービンブラシにも適用されることが可能である。
【発明の効果】
【００１５】
以上のような本発明による真空掃除機のブラシ組立体によると、ロッキングユニットに解除防止手段が備えられているため、ブラシ組立体が底面と衝突する場合も、上部および下部ハウジングが分離されることが防止され、ユーザの満足感を高めることができる。
【発明を実施するための最良の形態】
【００１６】
以下、添付の図面と共に本発明の好ましい実施形態に係る真空掃除機のブラシ組立体を説明する。参考として、図示されたブラシ組立体は、掃除機本体の吸引力により回転するタービン組立体に連動される回転ブラシを備えたタービンブラシであるものの、本発明は、このようなタービンブラシにのみ限定されず、一般ブラシ組立体にも適用されることができる。
【００１７】
本発明による真空掃除機のブラシ組立体１００は、図１に示されたように、着脱自在に結合される上部および下部ハウジング１０１、１０２と、上部および下部ハウジング１０１、１０２間に設けられる延長管コネクター１１０および上部および下部ハウジング１０１、１０２を密閉された状態で固定させるロッキングユニット１２０を含む。
【００１８】
上部ハウジング１０１は、図２に示されたように、ブラシ組立体１００の上部ボディ体を形成し、上側に貫通形成されたスロット１０１ａを含んでロッキングユニット１２０がブラシ組立体１００の外側に露出されるようにする。
【００１９】
下部ハウジング１０２は、下部面の一端に貫通形成された吸入ポート１０２ａを備え、図示されていない掃除機本体から生成された真空吸入力により回転されるタービン組立体１３０が回動自在に設けられる。タービン組立体１３０は、多数の毛が植毛された回転ブラシ１４０と連結され、回転ブラシ１４０は、タービン組立体１３０の回転に連動して回転しながら底面のダスト等を飛散させる。
【００２０】
延長管コネクター１１０は、上部ハウジング１０１にスクリューのような締結手段により結合される連結部１１２を含み、吸入ポート１０２ａにおいて回転ブラシ１４０により飛散されたダストを掃除機本体側に伝達するために吸入流露を形成する延長管（図示せず）とブラシ組立体１００を連結する。
【００２１】
ロッキングユニット１２０は、図２および図４に示されたように、延長管コネクター１１０に貫通結合されるものの回動自在に設けられるものであり、延長管コネクター１１０の外周面に嵌合される環状の回転ノブボディ体１２１と；回転ノブボディ体１２１の一端に形成された作動突起１２２と；回転ノブボディ体１２１の外周面に突設されたロッキングガイドリブ１２３とを含む。
【００２２】
回転ノブボディ体１２１は環状に形成されるものの、延長管コネクター１１０の外周面と対応する大きさの内周面を有するように形成される。
【００２３】
回転ノブボディ体１２１の上側には、一体に突設された作動突起１２２が備えられるものの、作動突起１２２は、上部ハウジング１０１に貫通形成されたスロット１０１ａに結合され、スロット１０１ａの内側から外側へ突出され、本発明によるブラシ組立体１００の外部に露出される。従って、ユーザは、作動突起１２２をスロット１０１ａの内周面に沿って回転させる動作により、回転ノブボディ体１２１を回転させることができる。
【００２４】
ロッキングガイドリブ１２３は、作動突起１２２の対向する位置、例えば、図２に示されたように、下部ハウジング１０２に近接した下方に回転ノブボディ体１２１に直径以上になるように突設されることが好ましい。ところが、これを限定することではなく、下部ハウジング１０２側のロッキングガイドリブ１２３に対応する位置に突設されたロッキング突起１０２ｂ（図３参照）の位置に従って、回転ノブボディ体１２１の側面に突出されることも可能である。一方、ロッキングガイドリブ１２３は一側が開口され、ロッキング突起１０２ｂが回転ノブボディ体１２１の回転によりロッキングガイドリブ１２３の内周面に進入され得るようにする。
【００２５】
一方、本発明の好ましい実施形態に係るブラシ組立体１００は、延長管コネクター１１０とロッキングユニット１２０との間に解除防止手段２００が備えられる。解除防止手段２００は、ロッキングユニット１２０が外部から作用される突然な力、例えば、ブラシ組立体１００が底面に落ちる場合に発生される衝撃等により上部および下部ハウジング１０１、１０２のロッキングが解除されることを防止するためのものである。
【００２６】
解除防止手段２００は、図５および図６に示されたように、延長管コネクター１１０の外周面に突設される解除防止突起１１１および解除防止突起１１１と対面するように回転ノブボディ体１２１の内周面に形成された第１および第２解除防止溝１２４、１２５を含む。
【００２７】
第１解除防止溝１２４は、回転ノブボディ体１２１が上部および下部ハウジング１０１、１０２をロッキングして結合させる第１位置（Ｐ１）において、解除防止突起１１１を収容する。
【００２８】
そして、第２解除防止溝１２５は、回転ノブボディ１２１が、上部および下部ハウジング１０１、１０２をリリースして結合を解除させる第２位置（Ｐ２）において解除防止突起１１１を収容する。
【００２９】
このとき、解除防止突起１１１は、第１および第２解除防止溝１２４、１２５と対応する形状に形成されることが好ましいが、示されたように末端がラウンド処理されることが好ましい。
【実施例】
【００３０】
以下、本発明の好ましい実施形態に係る真空掃除機のブラシ組立体の動作について添付された図面を参照して説明する。
【００３１】
本発明の好ましい実施形態に係るブラシ組立体１００は、および下部ハウジング１０１、１０２が互いに分離可能に結合されている。そして、上部および下部ハウジング１０１、１０２間には、図示されていない掃除機本体の吸入力発生部において形成された真空吸入力により回動するタービン組立体１３０が設けられ、タービン組立体１３０の回転に連動して作動する回転ブラシ１４０が被掃除面のダストを飛散させて掃除作業をより手軽に行うことができる。
【００３２】
このようなブラシ組立体１００は、使用時間が経過するのに従って、タービン組立体１３０に汚物および異物質、例えば、髪の毛等が取り巻かれ、タービン組立体１３０の回転を妨害することがあるため装備が必要である。従って、より容易な装備のため、上部および下部ハウジング１０１、１０２は、開閉自在に組立てられることが好ましい。
【００３３】
従って、ユーザが上部および下部ハウジング１０１、１０２を開放するためには、図１に示された矢印方向にロッキングユニット１２０を回転させると、上部および下部ハウジング１０１、１０２がそれぞれ分離される。
【００３４】
言い添えると、ロッキングガイドリブ１２３は、図５に示されたように、上部および下部ハウジング１０１、１０２が結合して密閉される第１位置（Ｐ１）においてロッキング突起１０２ｂと結合され、上部および下部ハウジング１０１、１０２をロッキングする。ところが、ユーザが作動突起１２２を図１の矢印方向に回転させると、図６に示されたように、ロッキングガイドリブ１２３は、ロッキング突起１０２ｂとの結合が解除される。この時、ロッキングユニット１２０は延長管コネクター１１０に設けられ、延長管コネクター１１０は上部ハウジング１０１に固定結合されている。従って、ロッキング突起１０２ｂとロッキングガイドリブ１２３との間の結合が解除されると、下部ハウジング１０２は、図６に示されたように下側に分離されることができる。
【００３５】
一方、ユーザの不注意等により本発明による真空掃除機のブラシ組立体１００が底面と衝突する等の衝撃を受けた場合、上部および下部ハウジング１０１、１０２が分離されることを防止するため、延長管コネクター１１０とロッキングユニット１２０との間には解除防止手段２００が備えられる。
【００３６】
解除防止手段２００は、延長管コネクター１１０に突設された解除防止突起１１１と、ロッキングユニット１２０のボディ体を形成する回転ノブボディ体１２１の内周面に形成された第１および第２解除防止溝１２４、１２５からなるが、第１位置（Ｐ１）において解除防止突起１１１は第１解除防止溝１２４に安着され、第２位置（Ｐ２）において解除防止突起１１１は、第２解除防止溝１２５に安着されて突然の衝撃により回転ノブボディ体１２１が回転されながら、ロッキングガイドリブ１２３とロッキング突起１０２ｂとの結合が解除されることを防止する。
【００３７】
以上のような本発明による真空掃除機のブラシ組立体１００によると、図５および図６に示されたように、ユーザがロッキングユニット１２０を上部および下部ハウジング１０１、１０２がロッキングされる第１位置（Ｐ１）からリリースされる第２位置（Ｐ２）に回動させる簡単な動作のみにより上部および下部ハウジング１０１、１０２を分解することができ、ユーザ便宜性が向上されることができる。また、ユーザの不注意等によりブラシ組立体１００を落とす場合も、ロッキングユニット１２０が解除防止手段２００により固定され、上部および下部ハウジング１０１、１０２が離脱されることを防止することができる。
【産業上の利用可能性】
【００３８】
以上のような本発明による真空掃除機のブラシ組立体によると、ロッキングユニットに解除防止手段が備えられているため、ブラシ組立体が底面と衝突される場合も、上部および下部ハウジングが分離されことが防止され、ユーザの満足度を高めることができる。
【図面の簡単な説明】
【００３９】
【図１】本発明による真空掃除機のブラシ組立体の斜視図である。
【図２】本発明による真空掃除機のブラシ組立体の分解斜視図である。
【図３】図２のＩ部分に対する要部拡大図である。
【図４】本発明による真空掃除機のブラシ組立体のロッキング装置を示した斜視図である。
【図５】本発明による真空掃除機のブラシ組立体の上部および下部ハウジングのロッキングおよびリリース状態を示した図１のＶ−Ｖ断面図である。
【図６】本発明による真空掃除機のブラシ組立体の上部および下部ハウジングのロッキングおよびリリース状態を示した図１のＶ−Ｖ断面図である。
【符号の説明】
【００４０】
１００    ブラシ組立体
１０１    上部ハウジング
１０１ａ  スロット
１０２    下部ハウジング
１０２ａ  吸入ポート
１０２ｂ  ロッキング突起
１１０    延長管コネクター
１１１    解除防止突起
１１２    連結部
１２０    ロッキングユニット
１２１    回転ノブボディ体
１２２    作動突起
１２３    ロッキングガイドリブ
１２４、１２５  第１及び第２解除手段
１３０    タービン組立体
１４０    回転ブラシ
２００    解除防止手段
【図１】
2005169066.tif 000003
【図２】
2005169066.tif 000004
【図３】
2005169066.tif 000005
【図４】
2005169066.tif 000006
【図５】
2005169066.tif 000007
【図６】
2005169066.tif 000008